(57)【要約】【課題】旅行者が宿泊できる宿泊場を増やし、かつ旅行者が気軽に安心して非日常的な生活を体験できる車両貸出支援装置、車両貸出支援プログラム、車両貸出支援方法を提供する。【解決手段】貸出情報記録手段１３０が車両の車種を含む車両情報と、車両情報に関連づけて、車両のオーナー２００が配車可能な１以上の貸出地点と、車両を貸し出すことが可能な時間である貸出可能時間とを含む貸出情報を記録し、貸出情報抽出手段１５０が貸出情報のうち、借手３００の使用希望情報に対応する貸出対応情報を貸出情報記録手段１３０から抽出し、予約受付手段１７０が使用を希望する車両である使用希望車両における、借手が希望する貸出地点である希望貸出地点と、借手が使用を希望する時間である使用希望時間を含む予約情報を受け付け、使用希望車両における希望貸出地点以外の貸出地点における使用希望時間を貸出不可能に変更する。【選択図】図１
2018088130.tif 000002
【特許請求の範囲】
【請求項１】
車両の貸し出しを支援する車両貸出支援装置において、
前記車両の車種を含む車両情報と、前記車両情報に関連づけて、前記車両のオーナーが配車可能な１以上の貸出地点と、前記車両を貸し出すことが可能な時間である貸出可能時間とを含む貸出情報を記録する貸出情報記録手段と、
前記貸出情報のうち、借手の使用希望情報に対応する貸出対応情報を前記貸出情報記録手段から抽出する貸出情報抽出手段と、
使用を希望する車両である使用希望車両における、借手が希望する貸出地点である希望貸出地点と、前記借手が使用を希望する時間である使用希望時間を含む予約情報を受け付け、前記使用希望車両における前記希望貸出地点以外の貸出地点における前記使用希望時間を貸出不可能に変更する予約受付手段と、
を備えることを特徴とする車両貸出支援装置。
【請求項２】
前記貸出情報記録手段が、
前記貸出地点ごとに、前記貸出可能時間を記録することを特徴とする請求項１記載の車両貸出支援装置。
【請求項３】
前記使用希望情報が、
前記車両情報、前記貸出地点、もしくは前記貸出可能時間の少なくとも１つを含むことを特徴とする請求項１記載の車両貸出支援装置。
【請求項４】
前記貸出地点が、
店舗に併設される駐車場であることを特徴とする請求項１記載の車両貸出支援装置。
【請求項５】
前記店舗が、
チケット発券用システムに接続された端末が設置された店舗であって、
前記予約受付手段が、
前記予約情報を受け付けると、車両貸出決済用のチケットが発券されるための決済情報を前記チケット発券用システムに送信することを特徴とする請求項４記載の車両貸出支援装置。
【請求項６】
前記店舗が、
コンビニエンスストアであることを特徴とする請求項５記載の車両貸出支援装置。
【請求項７】
前記車両が、
前記使用希望時間中、前記貸出地点から動かさずに用いられることを特徴とする請求項１記載の車両貸出支援装置。
【請求項８】
前記車両が、
キャンピングカーであることを特徴とする請求項７記載の車両貸出支援装置。
【請求項９】
前記車両が、
カラオケ装置を備えることを特徴とする請求項７記載の車両貸出支援装置。
【請求項１０】
車両の貸し出しを支援する車両貸出支援プログラムにおいて、
コンピュータを、
前記車両の車種を含む車両情報と、前記車両情報に関連づけて、前記車両のオーナーが配車可能な１以上の貸出地点と、前記車両を貸し出すことが可能な時間である貸出可能時間とを含む貸出情報を記録する貸出情報記録手段、
前記貸出情報のうち、借手の使用希望情報に対応する貸出対応情報を前記貸出情報記録手段から抽出する貸出情報抽出手段、
使用を希望する車両である使用希望車両における、借手が希望する貸出地点である希望貸出地点と、前記借手が使用を希望する時間である使用希望時間を含む予約情報を受け付け、前記使用希望車両における前記希望貸出地点以外の貸出地点における前記使用希望時間を貸出不可能に変更する予約受付手段、
として機能させることを特徴とする車両貸出支援プログラム。
【請求項１１】
車両の貸し出しを支援する車両貸出支援方法において、
貸出情報記録手段が前記車両の車種を含む車両情報と、前記車両情報に関連づけて、前記車両のオーナーが配車可能な１以上の貸出地点と、前記車両を貸し出すことが可能な時間である貸出可能時間とを含む貸出情報を記録するステップと、
貸出情報抽出手段が前記貸出情報のうち、借手の使用希望情報に対応する貸出対応情報を前記貸出情報記録手段から抽出するステップと、
予約受付手段が使用を希望する車両である使用希望車両における、借手が希望する貸出地点である希望貸出地点と、前記借手が使用を希望する時間である使用希望時間を含む予約情報を受け付け、前記使用希望車両における前記希望貸出地点以外の貸出地点における前記使用希望時間を貸出不可能に変更するステップと、
を備えることを特徴とする車両貸出支援方法。
【発明の詳細な説明】
【技術分野】
【０００１】
本発明は、車両貸出支援装置、車両貸出支援プログラム、車両貸出支援方法に関し、特に車両の貸し出しを支援する車両貸出支援装置、車両貸出支援プログラム、車両貸出支援方法に関する。
【背景技術】
【０００２】
従来、人間は日常の生活からは離れ、日常的な生活と異なる体験をすることで心を一新してきた。例えば旅行、それは時に日帰りだったり、時には１ヶ月以上にわたる海外旅行であったりするが、旅行先の観光地などを散策することで日常の生活から離れ、リフレッシュされた感情を抱いて帰ってくるのである。
【０００３】
このような旅行者が訪れる観光地には、周辺に旅行者が宿泊できるように旅館やホテルなどの宿泊施設が存在している。このように日常の生活と異なる宿泊施設に宿泊することで、旅行者は非日常的な生活を体験できる。
【０００４】
このように宿泊施設を利用する旅行者は、例えばインターネットなどを利用して宿泊したい宿泊施設の情報を参照しながら検討し、予約を行うことのできる宿泊施設予約システムなどを利用することで宿泊施設を利用している（たとえば、特許文献１参照）。
【０００５】
また、旅行者は非日常的な生活を手に入れるために、旅館やホテルなどの宿泊施設を利用するだけでなく様々な施設を利用している。例えばキャンピングカーの利用である。旅行者はキャンピングカーを利用して海や山など自然の中に移動し、自然に囲まれながらの食事や、様々なアクティビティ、車の中での宿泊を楽しむことで気分を一新することができる。
【０００６】
このようなキャンピングカーは、車の内部に寝泊まりできる設備や、水道設備、炊事設備などを備えるため高額となってしまい、個人が所有することは大変困難である。そこで、キャンピングカーのレンタルサービスが知られている。
【０００７】
例えばキャンピングカーのレンタル業者は、自社でキャンピングカーを用意、またはキャンピングカーのオーナーからキャンピングカーを借り、それらを旅行者に貸し出すサービスを提供している。旅行者はこのようなサービスを利用することで、気軽にかつ低価格でキャンピングカーを利用し、非日常的な生活を体験することができる。
【先行技術文献】
【特許文献】
【０００８】
【特許文献１】特表２０１６−５１２６４５号公報
【発明の概要】
【発明が解決しようとする課題】
【０００９】
しかし、このように旅行者が非日常生活を体験するために提供される宿泊施設やキャンピングカーのレンタルサービスには諸問題があった。問題の１つは宿泊施設の不足問題である。
【００１０】
旅行者が利用する宿泊施設は、多くの旅行者が訪れる観光地の近くに存在し、その宿泊施設には限りがあり、海外からの旅行者が増えた昨今では希望の日時に宿泊施設を確保するのが困難になっている。
【００１１】
２０１５年の訪日外国人旅行者数は２，０００万人にきわめて近い１，９７３万７千人となっており、今後も訪日外国人旅行者は増加する傾向にある。このような状況で宿泊施設の確保は大きな問題となっている。
【００１２】
このように日本の観光地への訪問者が増えているため、観光地の近くの宿泊施設はすぐに予約で埋まってしまい、予約がとれなかった旅行者は観光地から遠い宿泊施設を利用することを余儀なくされてしまう。
【００１３】
ところが、このような観光地から遠い宿泊施設は、公共の交通機関の駅などからも遠いことが多く、宿泊施設に移動するためには、タクシーや車などを利用するしかなく、混雑した観光地周辺での移動は大変不便であった。
【００１４】
一方、キャンピングカーの利用は、宿泊設備を備えたキャンピングカーで移動できるので非日常的な生活を楽しみながら観光地を見学することができる。
しかしキャンピングカーは多くの設備を備えているため、車体の大きさも一般的な車より大きく、駐車スペースが限られてしまう問題があった。
【００１５】
例えばキャンピングカーを利用した旅行で、観光地の近くに宿泊しようと思っても、一般車の駐車スペースを複数利用するか、バスなどの大型の駐車場を利用するしかなく現実的ではない。
【００１６】
また、大型のキャンピングカーが停められる駐車場も存在するが、そのような駐車場は地方に多い。そのような地方の駐車場は近くにお店や飲食店も少なく、キャンピングカーを停めて買い物をしたり、食事などをしたりするのも大変難しい状況であった。
【００１７】
またキャンピングカーを利用して宿泊した際に災害などが起こった場合、近くにお店や飲食店がないため、食料などの確保は大変難しい状況に陥る可能性がある。
さらには、訪日外国人旅行者がこのようなキャンピングカーレンタルサービスを利用する場合、知らない異国の地で人里離れた地方に車中泊をすることになり、不安を払拭することは難しく気軽に体験できる外国人向けのサービスには至らなかった。
【００１８】
本発明はこのような点に鑑みてなされたものであり、旅行者が宿泊できる宿泊場を増やし、かつ旅行者が気軽に安心して非日常的な生活を体験できる車両貸出支援装置、車両貸出支援プログラム、車両貸出支援方法を提供することを目的とする。
【課題を解決するための手段】
【００１９】
本発明では上記問題を解決するために、車両の貸し出しを支援する車両貸出支援装置において、前記車両の車種を含む車両情報と、前記車両情報に関連づけて、前記車両のオーナーが配車可能な１以上の貸出地点と、前記車両を貸し出すことが可能な時間である貸出可能時間とを含む貸出情報を記録する貸出情報記録手段と、前記貸出情報のうち、借手の使用希望情報に対応する貸出対応情報を前記貸出情報記録手段から抽出する貸出情報抽出手段と、使用を希望する車両である使用希望車両における、借手が希望する貸出地点である希望貸出地点と、前記借手が使用を希望する時間である使用希望時間を含む予約情報を受け付け、前記使用希望車両における前記希望貸出地点以外の貸出地点における前記使用希望時間を貸出不可能に変更する予約受付手段とを備えることを特徴とする車両貸出支援装置が提供される。
【００２０】
これにより、貸出情報記録手段が車両の車種を含む車両情報と、車両情報に関連づけて、車両のオーナーが配車可能な１以上の貸出地点と、車両を貸し出すことが可能な時間である貸出可能時間とを含む貸出情報を記録し、貸出情報抽出手段が貸出情報のうち、借手の使用希望情報に対応する貸出対応情報を貸出情報記録手段から抽出し、予約受付手段が使用を希望する車両である使用希望車両における、借手が希望する貸出地点である希望貸出地点と、借手が使用を希望する時間である使用希望時間を含む予約情報を受け付け、使用希望車両における希望貸出地点以外の貸出地点における使用希望時間を貸出不可能に変更する。
【００２１】
また本発明は、車両の貸し出しを支援する車両貸出支援プログラムにおいて、コンピュータを、前記車両の車種を含む車両情報と、前記車両情報に関連づけて、前記車両のオーナーが配車可能な１以上の貸出地点と、前記車両を貸し出すことが可能な時間である貸出可能時間とを含む貸出情報を記録する貸出情報記録手段、前記貸出情報のうち、借手の使用希望情報に対応する貸出対応情報を前記貸出情報記録手段から抽出する貸出情報抽出手段、使用を希望する車両である使用希望車両における、借手が希望する貸出地点である希望貸出地点と、前記借手が使用を希望する時間である使用希望時間を含む予約情報を受け付け、前記使用希望車両における前記希望貸出地点以外の貸出地点における前記使用希望時間を貸出不可能に変更する予約受付手段として機能させることを特徴とする車両貸出支援プログラムが提供される。
【００２２】
これにより、貸出情報記録手段が車両の車種を含む車両情報と、車両情報に関連づけて、車両のオーナーが配車可能な１以上の貸出地点と、車両を貸し出すことが可能な時間である貸出可能時間とを含む貸出情報を記録し、貸出情報抽出手段が貸出情報のうち、借手の使用希望情報に対応する貸出対応情報を貸出情報記録手段から抽出し、予約受付手段が使用を希望する車両である使用希望車両における、借手が希望する貸出地点である希望貸出地点と、借手が使用を希望する時間である使用希望時間を含む予約情報を受け付け、使用希望車両における希望貸出地点以外の貸出地点における使用希望時間を貸出不可能に変更する。
【００２３】
また本発明は、車両の貸し出しを支援する車両貸出支援方法において、
貸出情報記録手段が前記車両の車種を含む車両情報と、前記車両情報に関連づけて、前記車両のオーナーが配車可能な１以上の貸出地点と、前記車両を貸し出すことが可能な時間である貸出可能時間とを含む貸出情報を記録するステップと、
貸出情報抽出手段が前記貸出情報のうち、借手の使用希望情報に対応する貸出対応情報を前記貸出情報記録手段から抽出するステップと、
予約受付手段が使用を希望する車両である使用希望車両における、借手が希望する貸出地点である希望貸出地点と、前記借手が使用を希望する時間である使用希望時間を含む予約情報を受け付け、前記使用希望車両における前記希望貸出地点以外の貸出地点における前記使用希望時間を貸出不可能に変更するステップと、
を備えることを特徴とする車両貸出支援方法が提供される。
【００２４】
これにより、貸出情報記録手段が車両の車種を含む車両情報と、車両情報に関連づけて、車両のオーナーが配車可能な１以上の貸出地点と、車両を貸し出すことが可能な時間である貸出可能時間とを含む貸出情報を記録し、貸出情報抽出手段が貸出情報のうち、借手の使用希望情報に対応する貸出対応情報を貸出情報記録手段から抽出し、予約受付手段が使用を希望する車両である使用希望車両における、借手が希望する貸出地点である希望貸出地点と、借手が使用を希望する時間である使用希望時間を含む予約情報を受け付け、使用希望車両における希望貸出地点以外の貸出地点における使用希望時間を貸出不可能に変更する。
【発明の効果】
【００２５】
本発明の車両貸出支援装置、車両貸出支援プログラム、車両貸出支援方法によれば、貸出情報記録手段が車両の車種を含む車両情報と、車両情報に関連づけて、車両のオーナーが配車可能な１以上の貸出地点と、車両を貸し出すことが可能な時間である貸出可能時間とを含む貸出情報を記録し、貸出情報抽出手段が貸出情報のうち、借手の使用希望情報に対応する貸出対応情報を貸出情報記録手段から抽出し、予約受付手段が使用を希望する車両である使用希望車両における、借手が希望する貸出地点である希望貸出地点と、借手が使用を希望する時間である使用希望時間を含む予約情報を受け付け、使用希望車両における希望貸出地点以外の貸出地点における使用希望時間を貸出不可能に変更するので、旅行者が宿泊できる宿泊場を増やし、かつ旅行者が気軽に安心して非日常的な生活を体験できるができる。
【図面の簡単な説明】
【００２６】
【図１】本実施の形態に係る車両貸出支援装置の構成を示すブロック図である。
【図２】車両情報記憶部に記憶される車両情報の構造例を示す図である。
【図３】貸出地点記憶部に記憶される貸出地点情報の構造例を示す図である。
【図４】貸出情報記録手段が貸出情報記憶部に記憶する貸出情報の構造例を示す図である。
【図５】本実施例の形態の貸出情報記録手段が行う処理を示すフローチャートである。
【図６】本実施例の形態の貸出情報抽出手段が行う処理を示すフローチャートである。
【図７】本実施例の形態の予約受付手段および貸出不可能登録手段が行う処理を示すフローチャートである。
【図８】本実施例の情報提供手段が提供する情報の提供例を示す図である。
【図９】本実施例の情報提供手段が提供する地図情報の提供例を示す図である。
【図１０】本実施例の情報提供手段が提供する車種情報の提供例を示す図である。
【図１１】車両貸出支援装置が提供する予約サイトの詳細を示す図である。
【図１２】車両貸出支援装置が提供する予約サイトの詳細を示す図である。
【図１３】利用者が決済代行サービスを利用して決済を行い、車中泊サービスを受けるまでの流れを示す図である。
【図１４】利用者が車中泊サービスを終了し、車両が車両オーナーに返却されるまでの流れを示す図である。
【図１５】車両情報記憶部に記憶される車両情報の構造例を示す図である。
【図１６】貸出情報記録手段が貸出情報記憶部に記憶する貸出情報の構造例を示す図である。
【図１７】本実施例の情報提供手段が提供する情報の提供例を示す図である。
【発明を実施するための形態】
【００２７】
〔第１の実施の形態〕
まず、本発明の第１の実施の形態の概要から説明する。
本発明の第１の実施の形態は、海外からの旅行者が増加することで足りなくなった宿泊施設を補うためのものであり、例えばキャンピングカーのように宿泊を可能とする車両を移動式の宿泊施設として提供するためのものである。具体的には、個人やレンタル業者が所有するキャンピングカーを、個人が所有する空駐車場や夜間利用の少ないコンビニエンスストアなどの店舗駐車場に停泊させ、車中泊サービスを提供するためのものである。
【００２８】
これにより、駐車場のオーナーは、車中泊サービスに駐車場を貸し出すことで、車中泊サービスで利用した駐車場の利用料金として収入を得ることができ、普段利用しない空駐車場や、夜間に利用者が少ない店舗駐車場を有効活用することができる。
【００２９】
またコンビニエンスストアなどの店舗駐車場を貸し出した場合、車両が店舗駐車場に停泊しているので、車中泊サービスの利用者が店舗で食料品や雑貨などを購買することが期待される。
【００３０】
また、車両のオーナーは、車中泊サービスに車両を貸し出すことで、車中泊サービスで利用した車両の利用料金として収入を得ることができる。また普段は利用の少ない夜間や平日にも利用してもらえる機会が増え、稼働率の上昇が期待できる。
本発明の第１の実施の形態の概要は以上である。
【００３１】
以下、本発明の実施の形態を、図面を参照して詳細に説明する。
図１は、本実施の形態に係る車両貸出支援装置の構成を示すブロック図である。
図１に示すように、車両貸出支援装置１００は、車両情報記憶部１１０、貸出地点記憶部１２０、貸出情報記録手段１３０、貸出情報記憶部１４０、貸出情報抽出手段１５０、情報提供手段１６０、予約受付手段１７０、予約情報記憶部１８０、および貸出不可能登録手段１９０を備えている。
【００３２】
車両貸出支援装置１００は、車両オーナー２００が所有する車両、例えばキャンピングカーやバスなどを利用者３００に車中泊サービスに利用する車両として貸し出す支援を行うためのものである。ここでいう車両オーナー２００は、個人であっても構わないし、車両のレンタル業務を行うレンタル業者であっても構わない。
【００３３】
また、車両貸出支援装置１００は、貸出地点オーナー４００が所有する貸出地点、例えば駐車場や土地などを利用者３００に車中泊サービスに利用する駐車場として貸し出す支援を行うためのものである。ここでいう貸出地点オーナー４００は、個人であっても構わないし、土地を貸し出す不動産業者であっても構わない。
【００３４】
車両情報記憶部１１０は、車両オーナー２００が所有する、または貸し出すことのできる車両の情報を記憶するためのものであり、貸出情報記録手段１３０に接続されている。
【００３５】
車両情報記憶部１１０に記憶される情報は、例えばキャンピングカーの内装情報や、車両オーナー２００に関する情報など様々な情報が記憶される。また車両情報記憶部１１０に記憶される車両情報、例えば内装情報や設備情報などは、利用者３００が車両を選択する際の情報元となるので多くの情報が記憶されることが望ましい。
【００３６】
貸出地点記憶部１２０は、貸出地点オーナー４００が所有する、または貸し出すことのできる駐車場や土地などの情報を記憶するためのものであり、貸出情報記録手段１３０に接続されている。
【００３７】
貸出地点記憶部１２０に記憶される情報は、例えば駐車場の位置、周辺情報、駐車スペースの大きさや、貸出地点オーナー４００に関する情報などが記憶される。例えば貸出地点オーナー４００が所有するコンビニエンスストアの店舗駐車場を貸出地点として貸出地点記憶部１２０に登録する場合など、店舗がコンビニエンスストアであるなど店舗の情報を記憶してもよい。
【００３８】
貸出情報記録手段１３０は、車両オーナー２００が配車可能な貸出地点と、貸出地点ごとの貸出可能時間を貸出情報記憶部１４０に記録するためのものであり、車両情報記憶部１１０、貸出地点記憶部１２０、および貸出情報記憶部１４０に接続されている。
【００３９】
例えば、車両オーナー２００は貸出可能な車両Ａを所有しており、車両オーナー２００が配車可能な店舗がコンビニＡ、コンビニＢ、コンビニＣであり、１０月１日から１０月３日まで貸出可能な場合、「コンビニＡ：１０月１日から１０月３日」、「コンビニＢ：１０月１日から１０月３日」、「コンビニＣ：１０月１日から１０月３日」のように、貸出情報記録手段１３０が貸出情報記憶部１４０に貸出地点ごとの貸出可能時間を記憶させる。
【００４０】
また貸出情報記憶部１４０に記憶される情報には、貸出地点に対する貸出可能時間毎に貸出可能か貸出不可能かを示す貸出状況が共に記憶され、貸出可能であった車両が予約されると、その時間帯の貸出状況欄は貸出不可として更新される。詳しくは後述する。
また上記例では、貸出可能時間を日にち単位で指定したが、貸出可能時間を例えば「１０月１日１０時から１２時」など時間単位で細かく設定することもできる。
【００４１】
貸出情報抽出手段１５０は、貸出情報記憶部１４０に記憶された情報から利用者３００の希望するエリアや車種などの希望条件によって貸出可能な車両および貸出可能な駐車場を抽出するためのものであり、貸出情報記憶部１４０および情報提供手段１６０に接続されている。
【００４２】
例えば、利用者３００が車中泊サービスの利用を希望するエリアを希望条件として貸出情報抽出手段１５０に入力すると、希望条件として入力されたエリアに登録された貸出地点、および貸出地点で貸出可能な車両が抽出される。
【００４３】
また利用者３００が車中泊サービスを利用するにあたって希望する車両を希望条件として貸出情報抽出手段１５０に入力すると、希望条件として入力された条件を含む車両が貸出可能な貸出地点および貸出時間が抽出される。
【００４４】
情報提供手段１６０は、貸出情報抽出手段１５０が抽出した情報を利用者３００に提供するためのものであり、貸出情報抽出手段１５０に接続されている。
利用者３００に提供する方法は、例えば抽出された情報を印刷した印刷物を利用者３００に提供する、抽出された情報をもとにウェブページを作成し、インターネットを介して提供する、または抽出された情報を端末機器などに表示させるなどがある。
また希望条件などを受け付けるウェブページと連携して、利用者３００が希望する希望条件に適合した情報を提供することもできる。
【００４５】
予約受付手段１７０は、情報提供手段１６０が提供した情報から利用者３００が車両の使用を希望する情報を受け付けるためのものであり、予約情報記憶部１８０および貸出不可能登録手段１９０に接続されている。
【００４６】
利用者３００は、情報提供手段１６０が提供する情報を閲覧し、希望する貸出地点、車両、および時間帯を選択することで予約受付手段１７０に使用希望情報が入力される。ここで利用者３００が使用希望情報を予約受付手段１７０に入力することで、車中泊サービスの予約が完了する。
【００４７】
また予約受付手段１７０に使用希望情報が入力する際に、利用者３００の個人情報などの宿泊に必要な情報を入力してもよく、利用者３００の個人情報や、車両、貸出時間、貸出地点などの情報は予約情報記憶部１８０に記憶される。
【００４８】
また予約受付手段１７０が利用者３００の使用希望情報が入力されると、例えばコンビニエンスストアに設置されている決済代行サービスなどのチケット発券用システムに対して、車中泊サービスを利用するための決済情報を予約受付手段１７０が送信することもできる。これにより決済代行サービスを利用して車中泊サービスの決済を行うことができる。
【００４９】
貸出不可能登録手段１９０は、予約受付手段１７０によって受け付けた利用者３００の使用希望情報に基づき、貸出情報記憶部１４０に記憶された貸出地点に対する貸出可能時間毎に貸出可能か貸出不可能かを示す貸出状況を、貸出不可能に変更させるためのものであり、貸出情報記憶部１４０および予約受付手段１７０に接続される。これにより利用者３００によって予約された車両が他の貸出地点で公開されている予約の受付を終了させることができる。
【００５０】
図２は、車両情報記憶部に記憶される車両情報の構造例を示す図である。
図２に示すように、車両情報記憶部１１０には、車両ＩＤ、車種、車両番号、車両オーナー、車両サイズ、設備および写真の各欄が設けられている。
【００５１】
車両ＩＤ欄には、登録された車両を識別するためのユニークな識別番号が登録される。
車種欄、車両番号欄には、登録される車両の車種および車両番号が登録される。
車両オーナー欄には、車両オーナー２００に関する情報を登録する。例えば車両オーナー２００の連絡先や車中泊サービスで利用した車両の利用料金の振込先などの情報が記憶される。
【００５２】
車両サイズ欄には、車両オーナー２００から提供される車両の大きさが記憶される。駐車場の大きさは場所によって異なり、その大きさによって駐車可能な車両の大きさも異なってくる。ここに車両のサイズを記憶することで、後に車両オーナー２００が、貸出情報記憶部１４０に貸出情報を記憶させる際に、車両サイズと駐車場のサイズとが適合した駐車可能な駐車場を適宜選択することができる。
【００５３】
設備欄および写真欄には、車両オーナー２００から提供される車両の設備や車両の写真情報が記憶される。この設備欄および写真欄に多くの情報を記憶することで、利用者３００に多くの車両情報が提供される。これにより利用者３００は車両除法記憶部１４０に記憶された設備情報をもとに用途に合った車両を借りることができる。
【００５４】
具体的に図２では、車両ＩＤ：車両００１の車両は、運営元が用意した車両であり、シンク、トイレ、ベッドなどの設備を備えた車両を提供することができる。
また車両ＩＤ：車両００２の車両は、山田様から提供された車両であり、シンク、コンロ、冷蔵庫、ベッドなどを備えた車両を提供することができる。
【００５５】
上記の例のほか、車両オーナー２００が貸出可能な時間帯を記憶する欄を設け、夜間部分のみの貸出や平日のみの貸出などを記憶させてもよい。
また車両情報記憶部１１０に登録される情報は、車両オーナー２００が利用する端末機器から登録することもできるし、車中泊サービスを運営する運営元が車両オーナー２００から得た情報をもとに登録してもよい。
【００５６】
図３は、貸出地点記憶部に記憶される貸出地点情報の構造例を示す図である。
図３に示すように、貸出地点記憶部１２０には、貸出地点ＩＤ、住所、オーナー情報、および駐車場サイズの各欄が設けられている。
【００５７】
地点ＩＤ欄には、登録された貸出地点を識別するためのユニークな識別番号が登録される。
住所欄には貸出地点オーナー４００が所有または貸出可能な貸出地点、例えば貸出地点オーナー４００が所有する駐車場の存在する住所が登録される。住所欄には住所のほか、駐車場が存在する位置の緯度経度情報を記録してもよい。
【００５８】
オーナー情報欄には、貸出地点オーナー４００に関する情報を登録する。例えば貸出地点オーナー４００の連絡先、店舗情報、車中泊サービスで利用した駐車場の利用料金の振込先などの情報が記憶される。
【００５９】
駐車場サイズ欄には、貸出地点オーナー４００から提供される貸出地点の大きさが記憶される。駐車場の大きさは場所によって異なり、その大きさによって駐車可能な車両の大きさも異なってくる。ここに貸出地点のサイズを記憶することで、後に車両オーナー２００が、貸出情報記憶部１４０に貸出情報を記憶させる際に、車両サイズと駐車場のサイズとが適合した駐車可能な駐車場を適宜選択することができる。
【００６０】
具体的に図３では、コンビニＡが２．５ｍ×５．０ｍの普通車が駐車可能な駐車場が１カ所、３．０ｍ×５．５ｍの大型車が駐車可能な駐車場が２カ所登録されている。同様にコンビニＢは普通車用の駐車場を２台分、コンビニＣは普通車用の駐車場を１台分および大型社用の駐車場を１台分、コンビニＤは普通車用の駐車場を２台分および大型社用の駐車場を１台分が提供されている。
【００６１】
上記の例のほか、貸出地点オーナー４００が貸出可能な時間帯を記憶する欄を設け、夜間部分のみの貸出や平日のみの貸出などの貸出条件を記憶させてもよい。
また貸出地点記憶部１２０に登録される情報は、貸出地点オーナー４００が利用する端末機器から登録することもできるし、車中泊サービスを運営する運営元が貸出地点オーナー４００から得た情報をもとに登録してもよい。
【００６２】
図４は、貸出情報記録手段が貸出情報記憶部に記憶する貸出情報の構造例を示す図である。
図４に示すように、貸出情報記憶部１４０には、貸出ＩＤ、地点ＩＤ、車両ＩＤ、貸出可能時間、および貸出状況の各欄が設けられている。
【００６３】
貸出ＩＤ欄には、貸出可能な貸出地点に対する貸出可能時間および貸出車両を識別するためのユニークな識別番号が登録される。
地点ＩＤ欄には、車両オーナー２００が配車可能な貸出地点の地点ＩＤが登録される。なお地点ＩＤは貸出地点記憶部１２０に登録された情報をもとに関連づけられた地点ＩＤが登録される。
【００６４】
車両ＩＤ欄には、車両オーナー２００が貸出可能な車両の車両ＩＤが登録される。なお車両ＩＤは車両情報記憶部１１０に登録された情報を元に関連づけられた車両ＩＤが登録される。
【００６５】
貸出可能時間欄には、貸出地点が貸出可能な時間帯のうち、車両が貸出可能かつ車両オーナー２００が配車可能な時間帯が記憶される。貸出可能時間は、車両オーナー２００が貸出可能かつ配車可能な時間帯を選択して登録することもできるが、あらかじめ貸出地点記憶部１２０に記憶された貸出可能時間帯および車両情報記憶部１１０に登録された貸出可能時間帯から適合する時間帯を貸出情報記録手段１３０が自動で貸出情報記憶部１４０に記憶させてもよい。
【００６６】
貸出状況欄には、登録された貸出可能な貸出地点に対する貸出可能時間および貸出車両の貸出状況の可否が登録される。例えば貸出が可能な場合は「可」、車両および貸出地点が利用者３００によって予約されることで貸出が不可能になると「不可」が登録される。
【００６７】
具体的に図４では、車両００１の車両が２０１６年１０月１日に地点００１（コンビニＡ）、地点００４（コンビニＢ）、地点００６（コンビニＣ）、および地点００８（コンビニＤ）で貸出可能と登録されている。
【００６８】
これは車両オーナー２００がコンビニＡ、コンビニＢ、コンビニＣ、コンビニＤに車両００１を２０１６年１０月１日に貸し出すことが可能なことを示している。またこの４つの貸出情報のうち例えばコンビニＡで予約が決定すると、貸出ＩＤ：貸出００１の貸出状況は「不可」となり、同時間帯で登録されている貸出００２〜貸出００４までの貸出状況を全て「不可」にすることで貸出管理を行う。詳しくは後述する。
【００６９】
図５は、本実施例の形態の貸出情報記録手段が行う処理を示すフローチャートである。以下、図５に示す処理をステップ番号に沿って説明する。
〔ステップＳ１１〕車両オーナー２００が貸出可能な車両および配車可能な貸出地点の情報が貸出情報記録手段１３０に入力される。具体的には、車両オーナー２００が登録する車両オーナー２００が貸出可能な車両、および配車可能な貸出地点の情報を貸出情報記録手段１３０に入力される。
【００７０】
〔ステップＳ１２〕貸出情報記録手段１３０は、入力された情報が登録条件に合致しているか判断を行う。具体的には、車両オーナー２００が入力する配車可能な時間帯と、貸出地点オーナー４００が提供する貸出地点が貸出可能な時間帯とが合致しているか判断を行う。合致すると判断した時は、処理をステップＳ１５へ進め、合致しないと判断した場合は処理をステップＳ１１へ進める。
【００７１】
〔ステップＳ１３〕貸出情報記録手段１３０は、貸出情報記憶部１４０へ登録を行う。具体的には、車両オーナー２００が入力する配車可能な時間帯と、貸出地点オーナー４００が登録した貸出地点が貸出可能な時間帯が合致した情報を貸出情報記憶部１４０へ登録する。
【００７２】
これにより車両オーナー２００と貸出地点オーナー４００との条件を満たした貸出可能時間記録情報を、貸出情報記録手段１３０が貸出情報記憶部１４０へ記録することができる。
【００７３】
〔ステップＳ１４〕貸出情報記録手段１３０は、続けて登録を行うか判断する。具体的には、車両オーナー２００が入力する配車可能な時間帯と貸出地点オーナー４００が登録した貸出地点とが貸出可能な時間帯が合致する情報が他にあるか否かを、貸出情報記録手段１３０が車両オーナー２００に確認して判断を行う。情報が他にあると判断した場合は、処理をステップ１５へ進め、情報が他にないと判断した場合は、処理を終了する。
【００７４】
〔ステップＳ１５〕貸出情報記録手段１３０は、車両オーナー２００に対して注意勧告を行う。具体的には、車両オーナー２００が入力した情報が、車両オーナー２００が入力する配車可能な時間帯と、貸出地点オーナー４００が登録した貸出地点が貸出可能な時間帯とが合致しない、という内容を告知して情報の再入力を促す。これにより誤った情報の登録を防止することができる。
【００７５】
図６は、本実施例の形態の貸出情報抽出手段が行う処理を示すフローチャートである。以下、図６に示す処理をステップ番号に沿って説明する。
〔ステップＳ２１〕貸出情報抽出手段１５０に条件が入力される。具体的には、利用者３００が希望する条件が貸出情報抽出手段１５０に入力される。例えば、利用者３００が車種Ａを希望条件とした場合、車種Ａという条件が貸出情報抽出手段１５０に入力される。また利用者３００がエリアＢでの宿泊を希望条件とした場合、エリアＢという条件が貸出情報抽出手段１５０に入力される。なお希望条件は利用者３００が希望する複数の条件を入力することもできる。
【００７６】
〔ステップＳ２２〕貸出情報抽出手段１５０は、データを抽出する。具体的には、ステップＳ２１で入力された利用者３００の希望する条件により、貸出情報抽出手段１５０は貸出情報記憶部１４０に記憶された情報から条件かつ貸出状況が「可」の条件に合致した情報を抽出する。例えば、利用者３００が車種Ａを希望条件とした場合、車種Ａという条件かつ貸出状況が「可」の条件に合致した情報を貸出情報抽出手段１５０が貸出情報記憶部１４０に記憶された情報から抽出を行う。
【００７７】
また利用者３００がエリアＢでの宿泊を希望条件とした場合、エリアＢという条件かつ貸出状況が「可」の条件に合致した情報を貸出情報抽出手段１５０が貸出情報記憶部１４０に記憶された情報から抽出を行う。なお貸出情報抽出手段１５０は、利用者３００が希望する複数の条件に合致した情報を貸出情報記憶部１４０に記憶された情報から抽出することもできる。
【００７８】
図７は、本実施例の形態の予約受付手段および貸出不可能登録手段が行う処理を示すフローチャートである。以下、図７に示す処理をステップ番号に沿って説明する。
〔ステップＳ３１〕予約受付手段１７０に使用希望情報が入力される。具体的には、ステップＳ２２で抽出された情報を情報提供手段１６０によって利用者３００に提供された情報から、利用者３００は車中泊サービスの利用を希望する情報を選択する。その選択された情報、つまり利用者３００が希望する時間帯に貸出地点に配車される車両の情報が予約受付手段１７０に入力される。
【００７９】
〔ステップＳ３２〕予約受付手段１７０は、予約情報を記憶させる。具体的には、ステップＳ３１で入力された希望時間に貸出地点に配車される車両の情報および利用者３００の個人情報などを、予約受付手段１７０が予約情報記憶部１８０に記憶させる。
【００８０】
〔ステップＳ３３〕貸出不可能登録手段１９０は、貸出情報記憶部１４０から抽出を行う。具体的には、貸出情報記憶部１４０に記憶された、ステップＳ３１で予約された車両と同じ条件の情報を抽出する。
【００８１】
例えば車両オーナー２００が、車両Ａを、コンビニＡ、コンビニＢ、およびコンビニＣに同じ時間帯で予約受付する情報を貸出情報記憶部１４０に記憶してあるとき、利用者３００がコンビニＢで車両Ａ使用する予約されたときに、貸出不可登録手段１９０は貸出情報記憶部１４０からコンビニＡ、コンビニＣから車両Ａの予約を受け付ける情報を抽出する。これは１つの車両を複数の貸出地点に登録した情報を貸出不可に更新するためのものである。
【００８２】
〔ステップＳ３４〕貸出不可能登録手段１９０は、貸出情報記憶部１４０から抽出された情報の更新を行う。具体的には、ステップＳ３３で抽出された情報の貸出状況欄に記憶された「可」を「不可」に更新を行う。これにより更新された情報は貸出が不可能となり、貸出情報抽出手段１５０から抽出されないので情報提供手段１６０によって利用者３００に情報が提供されることはない。
【００８３】
次に、利用者が車中泊サービスを予約するまでの流れを以下に説明する。
図８は、本実施例の情報提供手段が提供する情報の提供例を示す図である。
図８に示すように、例えば貸出情報抽出手段１５０によって抽出された情報をもとに情報提供手段１６０がウェブページを作成し、インターネットを介して提供する。
【００８４】
図８の左側に示された日本地図から利用者３００は、車中泊サービスの利用を希望するエリアを選択する。例えば大分県で車中泊サービスの利用を希望する場合は、図８の左側に示された日本地図から大分県を選択する。つぎに図８の右側には選択された大分県の市区町村情報が表示される。利用者３００は表示された大分県の市区町村のうち車中泊サービスを利用したい市区町村を選択する。これにより利用者３００が具体的に利用したいエリアの詳細情報が絞り込まれる。
【００８５】
図９は、本実施例の情報提供手段が提供する地図情報の提供例を示す図である。
図９に示すように、図８で選択されたエリアのうち貸出情報記憶部１４０に記憶された貸出情報が地図上に表示される。図９の地図上に表示された星印は、車中泊サービスが提供する貸出地点であることを示している。例えば星印が表示された場所は、車中泊サービスが受けられるコンビニエンスストアであって、その星印を選択することで配車可能な車両を選択して予約することができる。
【００８６】
図１０は、本実施例の情報提供手段が提供する車種情報の提供例を示す図である。
図１０に示すように、図９の地図上に表示された車中泊サービスが提供する貸出地点である星印を選択することで、その貸出地点で利用可能な車両が表示される。
【００８７】
図１０の上部に表示された車種一覧は、選択された貸出地点で利用可能な車両の縮小見本であり、例えば詳細を確認したい車両の縮小見本を選択することで、その車両の詳細情報を表示することもできる。この時、情報提供手段１６０は、車両情報記憶部１１０に記憶された車両情報をもとにウェブページを作成し、インターネットを介して提供してもよい。
【００８８】
利用者３００は、情報提供手段１６０によって提供されたウェブページを閲覧し、その提供された情報の中から車中泊サービスで利用したい車両があったとき、その車両を選択して予約をすることができる。
【００８９】
また図１０の下部に表示されたカレンダーは車中泊サービスの予約状況を確認できるものである。選択された車両に応じてカレンダー部に利用が可能なのか不可能なのかを表示することもできる。
【００９０】
利用者３００は、情報提供手段１６０が提供するこのウェブページで、希望する車種を選択し、車中泊サービスで利用する車両情報以外に表示される図示しない個人情報を含む予約情報を入力して予約を完了することができる。
【００９１】
以上により、利用者３００は、希望する条件を選択するだけで容易に車中泊サービスを予約することができる。なお、予約後は予約番号を車両貸出支援装置１００が発行することで予約管理を行うことができる。発行した予約番号は、プリントアウトしたものを予約チケットとして利用してもよい。また発行した予約番号をメールで通知することもできる。
【００９２】
なお、上記の例では希望した選択エリアから車種を選択させたが、希望する車種から配車可能な貸出地点を選択さてもよい。
また複数の条件を一度に利用者３００が入力して、入力された条件に合致した情報を一覧に表示させてもよい。
【００９３】
次に、車両オーナー２００が貸出情報を登録し、予約が完了するまでの流れを以下に説明する。
図１１は、車両貸出支援装置が提供する予約サイトの詳細を示す図である。
【００９４】
図１１に示すように、車両貸出支援装置１００は、情報提供手段１６０によりウェブページを作成し、予約サイトを構築している。
例えば、車両オーナー２００は車両Ａを所有しており、貸出可能な期間を１月１日から１月３日までとして、また車両オーナー２００が配車可能な貸出地点をコンビニＡ、コンビニＢ、コンビニＣ、およびコンビニＤとして、車両オーナー２００は車両貸出支援装置１００に登録している。
【００９５】
これにより車両貸出支援装置１００は、構築する予約サイトで、車両Ａを利用した車中泊サービスをコンビニＡ、コンビニＢ、コンビニＣ、およびコンビニＤで、かつ１月１日から１月３日まで予約可能という情報を提供することができる。
このように車両オーナー２００は、複数の貸出地点に車両を予約可能と登録することで、多くの利用者３００が閲覧する機会を提供することができ、車中泊サービスの予約率を上げることができる。
【００９６】
図１２は、車両貸出支援装置が提供する予約サイトの詳細を示す図である。
図１２に示すように、例えば利用者３００がコンビニＣで車両Ａを利用した車中泊サービスを１月１日から１月３日まで予約をする。
【００９７】
このとき予約受付手段１７０が利用者３００の予約を受け付けると、貸出不可能登録手段１９０が貸出情報記憶部１４０に記憶された１月１日から１月３日までのコンビニＡ、コンビニＢ、コンビニＣ、およびコンビニＤでの予約状況を「不可」に更新する。これにより１台しかない車両Ａが複数の貸出地点に登録されていても、予約完了と同時に他の貸出地点での予約受付を受け付けない状況にすることができる。
【００９８】
以上により利用者３００は、コンビニＣで車両Ａを利用した車中泊サービスを１月１日から１月３日まで予約を完了することができる。また、車両オーナー２００は１月１日にコンビニＣに車両Ａを配車することで、利用者３００は車両Ａを利用して車中泊サービスを受けることが可能となる。
【００９９】
次に、予約完了した利用者３００が車中泊サービスを利用するための決済を行い、車両オーナー２００が提供する車両Ａを利用して車中泊サービスを受け、車両Ａを返却するまでの流れを以下に説明する。
【０１００】
図１３は、利用者が決済代行サービスを利用して決済を行い、車中泊サービスを受けるまでの流れを示す図である。以下、図１３に示す処理をステップ番号に沿って説明する。
図１３に示すように、利用者３００はコンビニＣで車両Ａを利用した車中泊サービスを１月１日から１月３日まで予約を完了している。
【０１０１】
〔ステップＳ４１〕車両オーナー２００は、車両Ａの配車を行う。具体的には、利用者３００による予約が確定し、車両オーナー２００は予約日１月１日までに貸出地点であるコンビニＣまで車両Ａの配車を車両オーナー２００が行う。
コンビニＣに配車が完了した車両オーナー２００は、車両Ａの鍵をコンビニＣの店員４１０に預ける。これをもって車両オーナー２００の配車は完了とする。
【０１０２】
〔ステップＳ４２〕利用者３００は、貸出地点であるコンビニＣに移動する。具体的には、あらかじめ予約した貸出地点であるコンビニＣから近郊の観光地などを観光した利用者３００は、予約した１月１日の予約時間に貸出地点であるコンビニＣに向かう。この時、あらかじめ発行された予約番号が記載された予約チケットをプリントアウトして持参するとよい。またはメールで通知された予約番号を用意しておくとよい。
【０１０３】
〔ステップＳ４３〕利用者３００は、決済代行サービス発券機４２０で車中泊チケット４２１の発行を行う。具体的には、利用者３００が貸出地点であるコンビニＣに到着した後、店舗内に設置された決済代行サービス発券機４２０を利用して車中泊チケット４２１の発行を行う。
【０１０４】
決済代行サービスは、予約受付手段１７０が利用者３００の使用希望情報が入力されたときに、決済代行サービスシステムに対して、車中泊サービスを利用するための決済情報を予約受付手段１７０が送信すること決済を店舗で行うことができる。
【０１０５】
利用者３００は、持参した予約チケットまたは通知されたメールに記載された予約番号を決済代行サービス発券機４２０に入力することで、決済代行サービス発券機４２０は車中泊チケット４２１を利用者３００に発行する。
【０１０６】
予約番号が入力された決済代行サービス発券機４２０は、あらかじめ車両貸出支援装置１００が備える予約情報記憶部１８０と連携された情報をもとに利用者３００に関する情報や利用料金が記載された車中泊チケット４２１を発行することができる。
【０１０７】
〔ステップＳ４４〕利用者３００は車中泊チケット４２１で決済を行う。具体的には、ステップＳ４３で発行された車中泊チケット４２１を利用者３００が貸出地点であるコンビニＣのカウンターまで持参し、店員４１０に車中泊チケット４２１の提示を行う。
【０１０８】
店員４１０は車中泊チケット４２１に記載されたバーコードなどをバーコードスキャナなどで読取り、車中泊サービスの利用料金を利用者３００から徴収する。利用者３００から徴収した利用料金のうち、一部は車中泊サービスの利用料金として車中泊サービスの運営者に支払われ、また一部は車両利用料金として車両オーナー２００に支払われ、また一部は駐車場利用料金として貸出地点オーナー４００に支払われる。
【０１０９】
〔ステップＳ４５〕店員４１０は、利用者３００を車両Ａまで案内する。具体的には、ステップＳ４４で利用料金を徴収した後、あらかじめ車両オーナー２００から預かった鍵を持参して利用者３００を車両Ａに案内する。案内後、車両Ａが勝手に移動されないように車止めなどで施錠を行うとよい。
【０１１０】
車止めなどで車両Ａの施錠が完了したら利用者３００に車両Ａの鍵を手渡す。車両Ａを施錠した施錠鍵は利用者３００から車両Ａが返却されるまでコンビニＣの店舗内で厳重に保管するとよい。
【０１１１】
図１４は、利用者が車中泊サービスを終了し、車両が車両オーナーに返却されるまでの流れを示す図である。以下、図１４に示す処理をステップ番号に沿って説明する。
図１４に示すように、利用者３００はコンビニＣで車両Ａを利用した車中泊サービスを１月１日から１月３日まで利用をしている。
【０１１２】
〔ステップＳ５１〕利用者３００は車中泊サービス終了後に車両Ａを返却する。具体的には、利用者３００が予約した最終日の１月３日に、車中泊サービスとして利用した車両Ａを貸出地点であるコンビニＣに返却を行う。
【０１１３】
利用者３００は車中泊サービスに利用した車両Ａの鍵をコンビニＣの店舗に持参し、店員４１０に車両Ａの鍵を返却する。店員４１０は利用者３００と一緒に車両Ａの確認をおこない、器物破損などの問題がないかチェックする。問題がなければ利用者３００は貸出地点であるコンビニＣを出発することができる。店員４１０は車両Ａが返却された後、車両オーナー２００に車両Ａを返却する前に社内の清掃などを行うとよい。
【０１１４】
〔ステップＳ５１〕車両オーナー２００は、配車した車両Ａを引き取る。具体的には、予約された１月３日以降に、車両オーナー２００は貸出地点であるコンビニＣに向かい貸出した車両Ａを返却してもらう。
【０１１５】
車両オーナー２００がコンビニＣに訪れると、店員４１０は車止めの施錠鍵を持参して車両オーナー２００を車両Ａに案内し、施錠を行った車止めを解錠して車両オーナー２００に車両Ａの返却を行う。
【０１１６】
車両Ａを車両オーナー２００に返却する際に車両Ａの確認をしてもらい、問題がなければ車両Ａを車両オーナー２００に返却する。この際、利用者３００から徴収した利用料金の一部である車両利用料金を支払うとよい。また車両情報記憶部１１０に記憶された車両オーナー２００の振込先情報を利用して、後日オーナー２００の振込先に車両利用料金を振り込むこともできる。
【０１１７】
以上により、予約完了した利用者３００が車中泊サービスを利用するための決済を行い、車両オーナー２００が提供する車両Ａを利用して車中泊サービスを利用し、車中泊サービスの利用後に車両Ａを車両オーナー２００に返却することができる。
【０１１８】
以上のように、車両貸出支援装置１００を用いて車両オーナー２００が提供する車両、および貸出地点オーナー４００が提供する貸出地点を利用した車中泊サービスを運用することで、夜間や平日に利用されることが少なかった駐車場やキャンピングカーを利用して宿泊施設の不足問題を緩和することができる。
【０１１９】
また貸出地点に地方観光地付近のコンビニエンスストアの店舗駐車場を利用することで、利用者３００がコンビニエンスストアを利用する機会が増える。また地方観光地の活性化にもつなげることができる。
【０１２０】
また、車両オーナー２００が車両の未使用時を有効利用でき、利用料金をホテルや旅館のように宿泊人数によって加算される料金ではなく、車両１車あたりの固定料金で設定することができる。これによりホテルや旅館よりも低価格な宿泊料金を提供することができ、今後増加が予想される訪日旅行者を呼び込むことができる。
【０１２１】
〔第２の実施の形態〕
次に、本発明の第２の実施の形態について説明する。本実施の形態の車両貸出支援装置は、提供される車両の利用用途が異なる以外は、第１の実施の形態で示した構成とほぼ同様である。このため、上記第１の実施の形態とほぼ同様の構成部分については同一の符号を付すなどして適宜その説明を省略する。
【０１２２】
まず、本発明の第２の実施の形態の概要から説明する。
本発明の第２の実施の形態は、都市部や地方部で衰退している地域コミュニティを活性化させるためのものであり、例えばキャンピングカーのように車両をレンタルルームとして利用できる移動式のレンタルルーム施設として提供するためのものである。具体的には、個人やレンタル業者が所有するキャンピングカーを、個人が所有する空駐車場や夜間利用の少ないコンビニエンスストアなどの店舗駐車場で移動式レンタルルームサービスを提供するためのものである。
【０１２３】
これにより、駐車場のオーナーは、移動式レンタルルームサービスに駐車場を貸し出すことで、移動式レンタルルームサービスで利用した駐車場の利用料金として収入を得ることができ、普段利用しない空駐車場や、夜間に利用する人が少ない店舗駐車場を有効活用することができる。
【０１２４】
またコンビニエンスストアなどの店舗駐車場を貸し出した場合、利用者が店舗での購買を期待することができる。
また、車両のオーナーは、移動式レンタルルームサービスに車両を貸し出すことで、移動式レンタルルームサービスで利用した車両の利用料金として収入を得ることができる。また普段は利用の少ない夜間や平日にも利用してもらえる機会が増え、稼働率の上昇が期待できる。
本発明の第２の実施の形態の概要は以上である。
【０１２５】
以下、本発明の実施の形態を、図面を参照して詳細に説明する。
図１５は、車両情報記憶部に記憶される車両情報の構造例を示す図である。
図１５に示すように、車両情報記憶部１１０には、車両ＩＤ、車種、車両番号、車両オーナー、車両サイズ、設備および写真の各欄が設けられている。
【０１２６】
具体的に図１５では、車両ＩＤ：車両００１の車両は、運営元が用意した車両であり、車両の内部をカラオケルームとして利用できる設備を備えた車両を利用者３００に提供することができる。
【０１２７】
また車両ＩＤ：車両００２の車両は、山田様から提供された車両であり、車両の内部を麻雀ルームとして利用できる設備を備えた車両を利用者３００に提供することができる。
このほか車両の内部をトレーニングルームや会議室、ゲームルーム、デイルームなど娯楽施設や介護施設の一部として利用できる車両を用意することで、様々な移動式のレンタルルームとして利用者３００に提供することができる。
【０１２８】
図１６は、貸出情報記録手段が貸出情報記憶部に記憶する貸出情報の構造例を示す図である。
図１６に示すように、貸出情報記憶部１４０には、貸出ＩＤ、地点ＩＤ、車両ＩＤ、貸出可能時間、および貸出状況の各欄が設けられている。
【０１２９】
貸出可能時間欄には、貸出地点オーナー４００の所有する貸出地点が貸出可能な時間帯のうち、車両オーナー２００の車両が貸出可能かつ配車可能な時間帯が単位時間毎に記憶される。
【０１３０】
具体的に図１６では、車両００１の車両が２０１６年１０月１日に地点００１（コンビニＡ）にて１０時から１２時、１３時から１５時、および１６時から１８時で貸出可能と登録されている。
【０１３１】
また同様に、車両００１の車両が２０１６年１０月１日に地点００２（コンビニＢ）にて１０時から１２時、１３時から１５時、および１６時から１８時で貸出可能と登録されている。
【０１３２】
これは車両オーナー２００がコンビニＡ、コンビニＢに車両００１を２０１６年１０月１日に１０時から１２時、１３時から１５時、および１６時から１８時で貸し出すことが可能なことを示している。またこの６つの貸出情報のうち例えばコンビニＡの１０時から１２時で予約が決定すると、貸出ＩＤ：貸出００１の貸出状況は「不可」となり、同時間帯で登録されている貸出００４の貸出状況を「不可」にすることで貸出管理を行う。
また各貸出可能な単位時間と単位時間との間の１時間は清掃時間や、貸出地点が単位時間毎に変わる場合に移動時間として充てることができる。
【０１３３】
図１７は、本実施例の情報提供手段が提供する情報の提供例を示す図である。
図１７に示すように、左側に示された日本地図から利用者３００は、車中泊サービスの利用を希望する都道府県や市区町村を選択する。つぎに図１７の右側には目的を選択する画面が表示される。利用者３００は表示された移動式レンタルルームサービスのうち利用したいレンタルルームを選択する。これにより利用者３００が具体的に利用したい目的の情報が絞り込まれる。
【０１３４】
以上のように車両貸出支援装置１００を用いて車両オーナー２００が提供する様々な用途に利用できる車両、および貸出地点オーナー４００が提供する貸出地点を利用した移動式レンタルルームサービスを運用することで、夜間や平日に利用されることが少なかった駐車場やキャンピングカーを利用して都市部や地方部で衰退している地域コミュニティを活性化させることができる。
【符号の説明】
【０１３５】
１００  車両貸出支援装置
１１０  車両情報記憶部
１２０  貸出地点記憶部
１３０  貸出情報記録手段
１４０  貸出情報記憶部
１５０  貸出情報抽出手段
１６０  情報提供手段
１７０  予約受付手段
１８０  予約情報記憶部
１９０  貸出不可能登録手段
２００  車両オーナー
３００  利用者
４００  貸出地点オーナー
４１０  店員
４２０  決済代行サービス発券機
４２１  車中泊チケット
【図１】
2018088130.tif 000003
【図２】
2018088130.tif 000004
【図３】
2018088130.tif 000005
【図４】
2018088130.tif 000006
【図５】
2018088130.tif 000007
【図６】
2018088130.tif 000008
【図７】
2018088130.tif 000009
【図８】
2018088130.tif 000010
【図９】
2018088130.tif 000011
【図１０】
2018088130.tif 000012
【図１１】
2018088130.tif 000013
【図１２】
2018088130.tif 000014
【図１３】
2018088130.tif 000015
【図１４】
2018088130.tif 000016
【図１５】
2018088130.tif 000017
【図１６】
2018088130.tif 000018
【図１７】
2018088130.tif 000019